(57)【要約】【課題】永久磁石を利用してドアを全閉位置または全開位置で保持させる際に、吸着音が発生しないと共に全閉状態または全開状態からの開き動作または閉じ動作を軽力で円滑に始動させ得る開閉保持装置を提供すること。【解決手段】ドア３ａ，３ｂが全閉位置または全開位置で停止したときに、永久磁石２１の吸引力で定置吸引部２１ａ，２１ｂ又は３１ａ，３１ｂと可動吸引部２５ａ，２５ｂ又は３５ａ，３５ｂとが所定間隙Ｓをおいた非接触状態で吸引することによりドア３ａ，３ｂを全閉状態又は全開状態に保持させる。【選択図】      図１
2004204630.tif 000002
【特許請求の範囲】
【請求項１】
ドアを開閉可能に装備する枠体の固定側に定置吸引部を設け、前記ドアには、その全閉位置または全開位置で前記定置吸引部に所定間隙をおいて対向する可動吸引部を設け、それら定置吸引部と可動吸引部とを永久磁石の吸引力によりドアの全閉位置または全開位置で吸引保持させるようにしたことを特徴とする引き戸式ドアの開閉保持装置。
【請求項２】
上記永久磁石が、定置吸引部と可動吸引部の何れか一方又は双方に取り付けられていることを特徴とする請求項１記載の引き戸式ドアの開閉保持装置。
【請求項３】
上記永久磁石には、保護カバーが被嵌されていることを特徴とする請求項２記載の引き戸式ドアの開閉保持装置。
【請求項４】
上記ドアが、無目内に駆動装置及び戸車レールを配設し、該戸車レールにドアハンガーの戸車を走行可能に吊持した自動ドアであって、前記定置吸引部が戸車レールに取り付け固定された保持金具に設けられ、前記可動吸引部がドアハンガーに設けられたことを特徴とする請求項１〜３の何れか１項記載の引き戸式ドアの開閉保持装置。
【請求項５】
上記ドアが、閉じ方向へ下り傾斜する戸車レールにドアハンガーの戸車を走行可能に吊持した自閉型の手動開きドアであって、前記定置吸引部と可動吸引部とをドアの全開位置で吸引保持させるようにしたことを特徴とする請求項１〜３の何れか１項記載の引き戸式ドアの開閉保持装置。
【発明の詳細な説明】
【０００１】
【発明の属する技術分野】
本発明は引き戸式ドアの開閉保持装置、詳しくは自動又は手動の引き戸式ドアが全閉した状態又は全開した状態で、その閉じ状態又は開き状態を保持させておくようにした引き戸式ドアの開閉保持装置に関する。
【０００２】
【従来の技術】
従来、引き戸式の自動ドアの場合、ドアが全閉位置に達したときにドア駆動装置の電動機への通電をＯＦＦにすると、ドア閉じ方向の駆動力がなくなるために、駆動装置のベルト（伝達機構）の変形（クセ）や戸先に設けたゴムの弾性によりドアが開き側へ戻り、あるいは縦枠の建付けの悪さ等と相俟って戸先部分と縦枠との間に隙間を生じて気密性が悪くなり、空調効果を低下させるばかりでなく外観を損なう不都合がある。
その不都合をなくすために、ドアの全閉状態でも駆動装置の電動機に押し回路による通電を継続させてドアに閉じ側の駆動力を与え続ける、いわゆる「常時押し」という動作を行っていた。
【０００３】
しかるに、上記「常時押し」による全閉保持動作によれば、電動機の温度上昇により駆動装置の耐久性に影響を及ぼすとともに、電力の消費量が増えてエネルギー対策上の問題があるために、特許文献１に開示されたドア装置が提案されている。
すなわち、特許文献１には、固定側２Ａに永久磁石よりなる吸着ストッパ３が固定され、ドア部１の全開位置または全閉位置で吸着ストッパ３に当たる吸着部４がドア部１に設けられ、吸着部４と吸着ストッパ３とが永久磁石の力でもって互いに吸着し合うようにした引き戸式自動ドアの全開又は全閉保持装置が開示されている。
【０００４】
しかしながら、上記従来装置においては、ドア部１が全開位置または全閉位置に達したときに吸着部４と吸着ストッパ３とが吸着する方式、つまり吸着部４が吸着ストッパ３に当たって接合する方式であるために、それらの吸着に伴う吸着音（両部材が当たって密着する金属音）を発生して不快な騒音の原因になる問題があった。
また、ドア部１が全開位置または全閉位置で停止した状態で、吸着部４と吸着ストッパ３とが吸着するために、その吸着状態を解除（離反）させてドア部１を閉じ動作または開き動作させる際に大きな力を必要とする。とくに、特許文献１の図１〜図３のように、吸着部４と吸着ストッパ３がドア部１の進行方向で突き当たる構造においては両部材を離反させるために大きな力を要し、しかも、全開状態又は全閉状態を確実にするため吸着力を大きくした場合には、それが顕著である。そのため、自動ドアの場合、駆動力の大きな駆動装置を設置しなければならない不具合がある。
【０００５】
なお、ドアが駆動装置を具備しない手動ドア、例えば病院の病室やトイレの入り口で使用される手動ドアであって、閉じ方向へ下り傾斜する戸車レールにドアハンガーの戸車を走行可能に吊持した簡易な自閉型の手動開きドアにおいても、車椅子の患者が安全に通過するためにドアを全開位置で一時的に保持すると便利であるが、当該ドアに永久磁石を使用した全開保持装置の従来技術は見当たらなかった。
【０００６】
【特許文献１】
特開２０００−１３００２０号公報（明細書及び図面１〜３参照）
【０００７】
【発明が解決しようとする課題】
本発明は、上記従来事情に鑑みその問題点や不具合を解消して、自動ドアを全閉位置または全開位置で保持させる際に吸着音が発生しないと共に全閉状態または全開状態からの開き動作または閉じ動作を軽力で円滑に始動させ得る永久磁石利用の開閉保持装置を提供することを目的とする。
また、本発明は、簡易な自閉型の手動開きドアにおいて、ドアを全開位置で保持可能にするとともに、吸着音の発生がなく軽い力で閉じ動作をさせ得る永久磁石利用の全開保持装置を提供することを目的とする。
さらに、本発明の他の目的は、永久磁石を保護するとともにその磁力を調整可能にし、しかも永久磁石を取り付ける部材の配設施工を容易にすることにある。
【０００８】
【課題を解決するための手段】
斯る本発明の引き戸式ドアの開閉保持装置は、ドアを開閉可能に装備する枠体の固定側に定置吸引部を設け、前記ドアには、その全閉位置または全開位置で前記定置吸引部に所定間隙をおいて対向する可動吸引部を設け、それら定置吸引部と可動吸引部とを永久磁石の吸引力によりドアの全閉位置または全開位置で吸引保持させるようにする（請求項１）。
すなわち、本発明は、ドアが全閉位置または全開位置で停止したときに、永久磁石の吸引力で定置吸引部と可動吸引部とが所定間隙をおいた非接触状態で吸引することにより、ドアを全閉状態又は全開状態に保持させることを特徴とする。
【０００９】
上記永久磁石には、一般的なフェライト系の磁石を使用することもよいが、強い磁力を有するネオジウム、ホウ素、鉄を主成分とする磁石を使用することが好ましい。
この永久磁石は、定置吸引部と可動吸引部の何れか一方、又は反対の磁極を向かい合わせるように配置して双方にそれぞれ取り付ける（請求項２）。
また、永久磁石には保護カバーを被嵌せしめることが好ましい（請求項３）。それにより、保護カバーの厚さを選択することにより永久磁石の吸引力を調整することが可能であるとともに、定置吸引部と可動吸引部とが当接した場合でも永久磁石の損傷を防止することができ、また、定置吸引部と可動吸引部とが吸着した場合に両部材を離反させ易い。
【００１０】
上記開閉保持装置を自動ドアに適用する場合の具体的態様としては、上記ドアが、無目内に駆動装置及び戸車レールを配設し、該戸車レールにドアハンガーの戸車を走行可能に吊持した自動ドアであって、前記定置吸引部が戸車レールに取り付け固定された保持金具に設けられ、前記可動吸引部がドアハンガーに設けられる構成とする（請求項４）。
さらに具体的には、永久磁石は定置吸引部にのみ設けて可動吸引部をドアハンガーと一体又は一体的に形成する。これにより、永久磁石の交換を容易にすることができる。
【００１１】
また、駆動装置を具備しない簡易型の手動ドアに適用する場合の具体的態様としては、上記ドアが、閉じ方向へ下り傾斜する戸車レールにドアハンガーの戸車を走行可能に吊持した自閉型の手動開きドアであって、前記定置吸引部と可動吸引部とをドアの全開位置で吸引保持させるようにする（請求項５）。
この手動開きドアにおいては、ドアの全開位置でのみ、定置吸引部と可動吸引部とを非接触状態で永久磁石の吸引力により保持させる。
この場合においても、永久磁石は定置吸引部にのみ設けて可動吸引部をドアハンガーと一体又は一体的に形成することが好ましい。
【００１２】
【発明の実施の形態】
本発明の実施の形態を図面により説明すれば、図１は自動ドアに適用した場合の配置構成図を示す。
図１において、符号１は出入口部に構築した枠体であり、その上部に無目２を配設して門型状の出入口枠が形成され、該枠体１の開口部にドア部３が開閉可能に設置される。なお、図中のドア部３は、ドア３ａ，３ｂで構成される両引き戸方式の場合を例示する。
【００１３】
上記無目２には、下端縁に戸車レール４ａを形成した台板４を固定して取り付け、その台板４に駆動装置５を配設するとともに、前記戸車レール４ａに、ドア３ａの上部框に取り付けたドアハンガー６ａ，６ｂ及びドア３ｂの上部框に取り付けたドアハンガー７ａ，７ｂの各戸車８及び９を走行可能に吊持させる。
駆動装置５は、動力源としてのエンジン（モータおよび減速機）１０、制御部１１、駆動プーリ１２、従動プーリ１３及び伝動ベルト１４等で構成され、その伝動ベルト１４にドア３ａ，３ｂのベルト掴み１５ａ，１５ｂが連結される。
【００１４】
上記自動ドアは、制御部１１により制御されるエンジン１０が駆動した時にドア３ａ，３ｂを逆向きに移動させてドア部３を開閉動作させる周知の構造であり、図１において、ドア３ａ，３ｂの全閉位置を実線で示し（符号ＣＰは全閉の戸当り位置）、ドア３ａ，３ｂの全開位置を二点鎖線で示す（符号ＯＰは全開の戸当り位置）。
【００１５】
そして、上記枠体１の固定側である台板４の戸車レール４ａには、全閉戸当り位置ＣＰの近傍に定置吸引部２１ａを取り付ける保持金具２０ａ及び定置吸引部２１ｂを取り付ける保持金具２０ｂを近接して配設し、また、左右の両全開戸当り位置ＯＰの近傍に定置吸引部３１ａを取り付ける保持金具３０ａと定置吸引部３１ｂを取り付ける保持金具３０ｂを個別に配設する。
一方、可動側であるドア部３には、前記定置吸引部２１ａ，２１ｂ，３１ａ，３１ｂに最短で対向するドアハンガーに可動吸引部を設ける。
具体的には、ドア３ａのドアハンガー６ｂに可動吸引部２５ａを設けるとともにドア３ｂのドアハンガー７ａに可動吸引部２５ｂを設け、また、ドア３ａのドアハンガー６ａに可動吸引部３５ａを設けるとともにドア３ｂのドアハンガー７ｂに可動吸引部３５ｂを設ける。
【００１６】
上記保持金具２０ａの定置吸引部２１ａとドアハンガー６ｂの可動吸引部２５ａ及び保持金具２０ｂの定置吸引部２１ｂとドアハンガー７ａの可動吸引部２５ｂは、それぞれに組となってドア３ａ，３ｂの全閉位置で所定間隙をおいて対向する全閉保持装置を構成する。
また、上記保持金具３０ａの定置吸引部３１ａとドアハンガー６ａの可動吸引部３５ａ及び保持金具３０ｂの定置吸引部３１ｂとドアハンガー７ｂの可動吸引部３５ｂは、それぞれに組となってドア３ａ，３ｂの全開位置で所定間隙をおいて対向する全開保持装置を構成する。
【００１７】
上記定置吸引部と可動吸引部との各組２１ａと２５ａ、２１ｂと２５ｂおよび３１ａと３５ａ、３１ｂと３５ｂは、配置が左右対称で相違する以外は同一の構成であるので、説明の便宜上、定置吸引部２１ｂと可動吸引部２５ｂの組を図２〜図４により説明して他の組の説明を省略する。
【００１８】
図２〜図４において、保持金具２０ｂは、垂直な支持板２００の左右にそれぞれ側板２０１，２０２を一体に折り曲げ形成し、その一方の側板２０２を他方より拡大するために屈曲部２０３を設けるとともに底部に底板２０４を形成した金具であって、前記側板２０２に定置吸引部２１ｂを設けたものである。
上記側板２０１，２０２は、その下端縁を戸車レール４ａの上面に載承する部分であって、下端縁には戸車レール４ａに掛止するように嵌合部２０５を形成し（図４参照）、また、底板２０４は、戸車レール４ａの下位に配置される部分であり、前記側板２０１，２０２間であってそれらの下端より間隔をおいた下方に水平に位置する。
【００１９】
定置吸引部２１ｂは、前記保持金具２０ｂの側板２０２の外面に永久磁石２１をビス止めするとともに該永久磁石２１の外周に保護カバー２２を被嵌して構成される。
永久磁石２１には、強い磁力を有するネオジウム、ホウ素、鉄を主成分とする磁石を円盤状としたものを使用し、それにより、定置吸引部２１ｂのコンパクト化を可能ならしめる。
保護カバー２２は、アルミニュームやプラスチック等の非磁性体を使用し、その厚さを変更することにより永久磁石２１の吸引力を調整するようにする。この保護カバー２２は接着剤を介して永久磁石２１に固定する。
【００２０】
上記保持金具２０ｂは、ドアの全閉戸当り位置ＣＰ近傍の所定位置に、側板２０１，２０２を戸車レール４ａ上に載せた状態で、底板２０４をボルト２０６により戸車レール４ａの底面に締め付けることにより、戸車レール４ａに固定して取り付けられる。これにより、定置吸引部２１ｂが、その保護カバー２２を可動吸引部２５ｂ方向へ向けて戸車レール４ａ上に配置される。
【００２１】
可動吸引部２５ｂは、ドアハンガーに一体に設けた場合を例示する。
ドアハンガー７ａは鉄等の金属磁性体であって、その一側縁を平面視Ｌ形に延設した形状とすることにより、戸車レール４ａ上に突出する可動吸引部２５ｂを一体に形成する。
なお、既存のドアハンガーを使用する場合には、可動吸引部２５ｂを別付けにする構成、具体的には、可動吸引部２５ｂをＬ形に形成しそれをドアハンガーの一側部にボルト止めすることによって取り付けることもよい。
【００２２】
上記可動吸引部２５ｂは、ドア３ｂが全閉位置（全閉戸当り位置ＣＰ）に達して停止した状態で、前記定置吸引部２１ｂの保護カバー２２と非接触の位置、つまり保護カバー２２と可動吸引部２５ｂとの間に所定の間隙Ｓが介在するように設定する。
なお、ドア３ｂは、全閉位置（全閉戸当り位置ＣＰ）に達したときに、図示省略した戸当り又はドア３ａとの当接によって当該全閉位置で停止し、また、全開位置（全開戸当り位置ＯＰ）に達したときも、図示省略した戸当りに当接して当該全開位置で停止するものである。
【００２３】
上記間隙Ｓは、前記永久磁石２１の磁力によって適宜に選定するが、定置吸引部２１ｂにより可動吸引部２５ｂを吸引保持するに必要な吸引力を確保し、同時に、ドア３ｂが開き動作を開始するときにエンジン１０の駆動力で可動吸引部２５ｂが定置吸引部２１ｂから離反可能な数値に設定する。具体的には、ドア３ａの重量や永久磁石２１の吸引力等を勘案して１〜５ｍｍ、好ましくは２〜４ｍｍ程度とする。
この程度の間隙Ｓの場合には、上記保持金具２０ｂを戸車レール４ａに取り付け調整する作業中に、定置吸引部２１ｂが可動吸引部２５ｂに吸着するおそれもあるが、そのために、可動吸引部２５ｂと定置吸引部２１ｂとの間に薄板の非磁性材を挟みながら保持金具２０ｂの取り付け位置を調整すればよい。
【００２４】
なお、上記定置吸引部２１ｂは、永久磁石２１を側板２０２の外面に単にビス止めする前記構造に代えて、永久磁石２１と側板２０２との間隔を調整可能に取り付けることが好ましい。例えば、図示のように、永久磁石２１にボルト２３を貫通一体的に突設し、該ボルト２３を側板２０２に螺合させロックナット２４により締め付けて位置決め固定する構成とする。
それにより、上記保持金具２０ｂを戸車レール４ａに取り付け固定した状態のまま、前記ボルト２３を前進又は後退させて永久磁石２１と側板２０２との間隔を調整、つまり前記所定の間隙Ｓを調整することができる。
【００２５】
而して、上記自動ドアの全閉保持動作を説明すると、駆動装置５によってドア３ａ，３ｂが閉じ動作をして全閉位置に達したときに（図１の実線状態参照）、ドア３ａ，３ｂの可動吸引部２５ａ，２５ｂが定置吸引部２１ａ，２１ｂに所定間隙Ｓをおいて対向する。その状態では、可動吸引部２５ａ，２５ｂが定置吸引部２１ａ，２１ｂの永久磁石２１，２１の吸引力により吸引保持される。
したがって、ドア部３が全閉状態の間、自動ドアは駆動装置５の通電をＯＦＦにすることができる。
そして、ドア３ａ，３ｂが再び開き動作をするときには、駆動装置５の通電がＯＮになってその駆動力により可動吸引部２５ａ，２５ｂが定置吸引部２１ａ，２１ｂから離反しながらドア３ａ，３ｂが開き方向へ移動する。
【００２６】
また、上記自動ドアの全開保持動作を説明すると、駆動装置５によりドア３ａ，３ｂが開き動作をして全開位置に達したときに（図１の二点鎖線状態参照）、ドア３ａ，３ｂの可動吸引部３５ａ，３５ｂが定置吸引部３１ａ，３１ｂに所定間隙Ｓをおいて対向する。
その状態では、前述の場合と同様に、可動吸引部３５ａ，３５ｂが定置吸引部３１ａ，３１ｂの永久磁石２１，２１の吸引力により吸引保持されるので、ドア部３が全開状態の間、自動ドアは駆動装置５の通電をＯＦＦにすることができ、また、ドア３ａ，３ｂが再び閉じ動作をするときには、駆動装置５の通電がＯＮになってその駆動力により可動吸引部３５ａ，３５ｂが定置吸引部３１ａ，３１ｂから離反しながらドア３ａ，３ｂが閉じ方向へ移動する。
【００２７】
なお、図１においては、全閉保持動作をする場合と全開保持動作をする場合の態様を説明したが、必ずしもその必要はなく、一般的な自動ドアにあっては、ドア部３は、全開状態を保持することなく全開位置から閉じ動作を開始するので、全開保持装置を省略できる。
また、全開保持動作をさせる自動ドアの機種においては、通常、ドア部３はその全開位置において駆動装置５の通電をＯＦＦにしているが、その場合においても、後述のように、可動吸引部３５ａ，３５ｂと定置吸引部３１ａ，３１ｂとの非接触吸引による効果がある。
【００２８】
次に、図５により、簡易型の手動ドアにおける全開保持装置の態様について説明する。
【００２９】
図５において、出入口を構成する枠体４１の無目４２内には、ドア４３の閉じ方向（矢印Ａ）へ下り傾斜する戸車レール４４が配設され、その戸車レール４４にドア４３の上部框に取り付けたドアハンガー４６ａ，４６ｂの各戸車４８及び４９を走行可能に吊持させる。
この手動ドアは、ドア４３を手動により開き方向（矢印Ｂ）へ押し開くことによって開動させ、そのドア４３から手を離すことにより戸車レール４４の傾斜に沿ってドア４３が自動的に閉動する自閉型の手動開きドアである。
【００３０】
そして、上記戸車レール４４の傾斜上端側に、保持金具５０ｂにより支持された定置吸引部５１ｂを固定して取り付け、前記ドアハンガー４６ｂには可動吸引部５５ｂが配設されている。
保持金具５０ｂ、定置吸引部５１ｂ及び可動吸引部５５ｂは、図２〜図４に示した保持金具２０ｂ、定置吸引部２１ｂ及び可動吸引部２５ｂと同様の構成、正確には、それらと左右を対称に配置しているので、図１の保持金具３０ｂ、定置吸引部３１ｂ及び可動吸引部３５ｂと同一の構成である。
【００３１】
上記ドア４３は、図示しない戸当りによって全開位置（二点鎖線参照）で停止するよう設定されており、その全開位置においては、前記可動吸引部５５ｂが定置吸引部５１ｂ、詳しくは保護カバーとの間で所定間隙Ｓを介して対向するものである。
したがって、ドア４３は、可動吸引部５５ｂと定置吸引部５１ｂとの非接触による吸引作用によって全開状態で一時的に保持することができる。そして、当該ドア４３を手でもって閉じ方向へ軽く引くことにより可動吸引部５５ｂが定置吸引部５１ｂから離反して戸車レール４４の傾斜に沿ってドア４３は自閉する。
【００３２】
なお、上記実施の形態において、自動ドアとして両引き戸方式の場合を例示したが、片開き方式の引き戸であってもよいことは当然である。
【００３３】
【発明の効果】
本発明によれば、ドアを全閉位置または全開位置で保持する際に、永久磁石の吸引力で定置吸引部と可動吸引部とが所定間隙をおいた非接触状態で吸引するようにしたので、従来の如き吸着音の発生がなく自動ドアの静音化に効果的であるとともに、その後に開き動作又は閉じ動作を始動させるときの駆動力を最小限ならしめることができる（請求項１及び４）。
また、上記静音化については簡易な自閉型の手開きドアについても同様であるとともに、全開位置で一時的に保持した後に軽い力で閉じ動作を行わせることができ、病院等で使用される自閉型ドアの利用上の便益を向上させることができる（請求項５）。
【００３４】
そして、永久磁石を定置吸引部と可動吸引部の何れか一方、好ましくは定置吸引部に取り付けることによって、該永久磁石の取り付け作業性や交換が容易である（請求項２及び４）
また、請求項３によれば、保護カバーにより永久磁石の吸引力を調整することができるとともに永久磁石の損傷を防止することができ、また、定置吸引部、可動吸引部の取り付け調整時に両部材が吸着した場合でもそれを離反し易いなど部材の耐久性、取り扱い使用性を向上させることができる。
【図面の簡単な説明】
【図１】自動ドアに本発明装置を適用した設置構成を示す正面図である。
【図２】本発明装置の要部を拡大した部分正面図である。
【図３】図２の一部切欠せる平面図である。
【図４】図２の部分断面側面図である。
【図５】自閉型手開きドアに本発明装置を適用した設置構成を示す正面図である。
【符号の説明】
１：枠体                ３ａ，３ｂ：ドア                ５：駆動装置
４ａ：戸車レール        ６ａ，６ｂ，７ａ，７ｂ：ドアハンガー
８，９：戸車            ２０ａ，２０ｂ，３０，３０ｂ：保持金具
２１ａ，２１ｂ，３１ａ，３１ｂ：定置吸引部
２５ａ，２５ｂ，３５ａ，３５ｂ：可動吸引部
２１：永久磁石              ２２：保護カバー            Ｓ：間隙
４１：枠体                  ４２：無目                  ４３：ドア
４４：戸車レール            ４６ａ，４６ｂ：ドアハンガー
４８，４９：戸車            ５０ｂ：保持金具
５１ｂ：定置吸引部          ５５ｂ：可動吸引部
【図１】
2004204630.tif 000003
【図２】
2004204630.tif 000004
【図３】
2004204630.tif 000005
【図４】
2004204630.tif 000006
【図５】
2004204630.tif 000007